(57)【特許請求の範囲】
【請求項１】
貯湯槽と、前記貯湯槽の上部に位置せしめたヒータと、前記ヒータ上部に位置せしめた湯温検知器と、前記貯湯槽の下部の水または湯を前記貯湯槽上部に搬送する循環ポンプと、前記湯温検知器の検知温度に基づき循環ポンプとヒータを制御する制御器を備え、前記制御器は、前記湯温検知器の検出温度が予め定めた設定温度範囲内になるよう前記循環ポンプの流量を制御するポンプ制御器と、前記湯温検知器の検出温度が前記設定温度範囲の上限値を超えた時間をカウントするタイマと、前記タイマのカウントにより前記ヒータの出力を制御するヒータ制御器を有し、前記湯温検知器の検出温度が設定温度範囲の上限値を超えたときにポンプを駆動させ、湯温検知器の検出温度が設定温度範囲の下限値を下回ったときに循環ポンプを停止させるとともに、前記ヒータ制御器は前記湯温検知器の検出温度が前記設定温度範囲の上限値を超えた時間をカウントする第１のタイマと第２のタイマを有し、前記第１のタイマがカウント終了したら前記ヒータの出力を低減し、前記ヒータの出力を低減後に前記湯温検知器の検出温度が前記設定温度範囲の上限値を超えた時間を前記第２のタイマがカウント終了したら前記ヒータの出力を停止することを特徴とする貯湯式電気温水器。
【発明の詳細な説明】
【０００１】
【発明の属する技術分野】
本発明はヒータを貯湯槽上部に設け、貯湯槽上部から湯を貯える貯湯式の電気温水器に関するものである。
【０００２】
【従来の技術】
従来、この種の給湯機は特開平７−２３９１５３号公報に示す如きものがあった。図７は、前記公報に記載された従来の電気温水器を示すものである。
【０００３】
図７において、１は貯湯槽、２は貯湯槽１の上部に配置したヒータ、３は貯湯槽１内のヒータ２よりも上の領域と貯湯槽１の下部とを連通する循環路、４は循環ポンプ、５は貯湯槽１壁部のヒータ２のやや上方に位置する第１の温度センサ、６は貯湯槽１下部に位置する第２の温度センサ、７はヒータ２及び循環ポンプ４の制御を行う通電制御装置である。そして、貯湯槽１の上部領域の水がヒータ２により急速加熱されて湯になり、例えば８５℃に達したことを第１の温度センサ５が検知すると、通電制御装置７の制御により循環ポンプ４が駆動され、貯湯槽１の下部冷水が貯湯槽１の上部高温湯に循環され貯湯槽１の上部領域の湯温が低下し、たとえば７５℃に低下したことを第１の温度センサ５が検知すると、通電制御装置７は循環ポンプを停止させる。このような循環ポンプ４の駆動及び停止の繰り返しにより、貯湯槽１内全体の湯を沸き上げる。貯湯槽下部の第２の温度センサ６が沸き上げ設定温度に達したことを検知して通電制御装置７はヒータ２の通電と循環ポンプ４の駆動を停止する。
【０００４】
【発明が解決しようとする課題】
しかしながら、前記従来の構成では、循環ポンプ４の駆動・停止の制御とヒータ２の通電制御を行うのに、２個の温度センサを使用しており、部品点数が多くコストアップとなっている。
【０００５】
また、貯湯槽下部の第２の温度センサ６が沸き上げ設定温度に達したことを検知して通電制御装置７でヒータ２の通電と循環ポンプ４の駆動を停止する構成となっており、例えば循環ポンプ４の異常などによって貯湯槽１の下部から貯湯槽１の上部に水が注水されなければ、ヒータ２から下部に高温水を押し下げることができず、貯湯槽下部に設けられた第２の温度センサ６では沸き上げ設定温度に達することがないので、ヒータ通電を停止できずに、ヒータ２の上部湯温が異常上昇し、ヒータ２が異常運転をするという課題があった。一方、ヒータ２から下部には湯を確保できないという課題があった。
【０００６】
本発明は上記課題を解決するもので、部品点数の削減と、湯温の異常上昇を防止し、ヒータの耐久性向上を図り、かつ、貯湯槽上部から所望の高温湯を貯えていくことができる貯湯式電気温水器を提供することを目的とする。
【０００７】
【課題を解決するための手段】
前記課題を解決するため、本発明の貯湯式電気温水器は、貯湯槽と、前記貯湯槽の上部に位置せしめたヒータと、前記ヒータ上部に位置せしめた湯温検知器と、前記貯湯槽の下部の水または湯を前記貯湯槽上部に搬送する循環ポンプと、前記湯温検知器の検知温度に基づき循環ポンプとヒータを制御する制御器を備え、前記制御器は、前記湯温検知器の検出温度が予め定めた設定温度範囲内になるよう前記循環ポンプの流量を制御するポンプ制御器と、前記湯温検知器の検出温度が前記設定温度範囲の上限値を超えた時間をカウントするタイマと、前記タイマのカウントにより前記ヒータの出力を制御するヒータ制御器を有し、前記湯温検知器の検出温度が設定温度範囲の上限値を超えたときにポンプを駆動させ、湯温検知器の検出温度が設定温度範囲の下限値を下回ったときに循環ポンプを停止させるとともに、前記ヒータ制御器は前記湯温検知器の検出温度が前記設定温度範囲の上限値を超えた時間をカウントする第１のタイマと第２のタイマを有し、前記第１のタイマがカウント終了したら前記ヒータの出力を低減し、前記ヒータの出力を低減後に前記湯温検知器の検出温度が前記設定温度範囲の上限値を超えた時間を前記第２のタイマがカウント終了したら前記ヒータの出力を停止するものである。
【０００８】
これによって、１個の湯温検知器で循環ポンプの制御とヒータの制御とを行うことができる。また、ヒータ上部に位置せしめた湯温検知器がヒータで直接加熱されている湯温を検知してヒータの出力制御を行うため、湯温の異常上昇を防止できる。また、湯温検知器の検出温度が予め定めた第１の設定温度範囲内になるよう循環ポンプの流量を制御することで、貯湯槽上部から高温湯を押し下げていくこととなり、沸き上げ途中から沸き上げ完了にいたるまで貯湯槽上部から所望の高温湯を貯えていくことができる。
【０００９】
【発明の実施の形態】
請求項１に記載の発明は、貯湯槽と、前記貯湯槽の上部に位置せしめたヒータと、前記ヒータ上部に位置せしめた湯温検知器と、前記貯湯槽の下部の水または湯を前記貯湯槽上部に搬送する循環ポンプと、前記湯温検知器の検知温度に基づき循環ポンプとヒータを制御する制御器を備え、前記制御器は、前記湯温検知器の検出温度が予め定めた設定温度範囲内になるよう前記循環ポンプの流量を制御するポンプ制御器と、前記湯温検知器の検出温度が前記設定温度範囲の上限値を超えた時間をカウントするタイマと、前記タイマのカウントにより前記ヒータの出力を制御するヒータ制御器を有し、前記湯温検知器の検出温度が設定温度範囲の上限値を超えたときにポンプを駆動させ、湯温検知器の検出温度が設定温度範囲の下限値を下回ったときに循環ポンプを停止させるとともに、前記ヒータ制御器は前記湯温検知器の検出温度が前記設定温度範囲の上限値を超えた時間をカウントする第１のタイマと第２のタイマを有し、前記第１のタイマがカウント終了したら前記ヒータの出力を低減し、前記ヒータの出力を低減後に前記湯温検知器の検出温度が前記設定温度範囲の上限値を超えた時間を前記第２のタイマがカウント終了したら前記ヒータの出力を停止することにより、貯湯槽下部まで所定の高温湯が確保できるものである。また、例えば、循環ポンプの異常で貯湯槽下部の水がヒータ上部に循環注入できなくなった場合でもヒータ上部に位置せしめた湯温検知器がヒータで直接加熱されている湯温を検知して前記設定温度範囲の上限値を所定時間超えた時点でヒータの停止を行うために、湯温の異常上昇を防止できる。
【００１０】
さらに、湯温検知器の検出温度が設定温度範囲の上限値を超えたときにポンプを駆動させ、湯温検知器の検出温度が設定温度範囲の下限値を下回ったときに循環ポンプを停止させる比較部を有したことにより、貯湯槽上部に設けたヒータ上部の湯温を予め定めた設定温度範囲内（例えば、８８℃〜９０℃）に制御することで、ヒータ上部の湯温を安定したほぼ一定温度に確保して貯湯槽上部から高温湯を押し下げていくこととなり、沸き上げ途中から沸き上げ完了にいたるまで貯湯槽上部から所望の高温湯を貯えていくことができる。
【００１１】
さらに、ヒータ制御器を前記湯温検知器の検出温度が前記設定温度範囲の上限値を超えた時間をカウントする第１のタイマと第２のタイマを有し、前記第１のタイマがカウント終了したら前記ヒータの出力を低減し、前記ヒータの出力を低減後に前記湯温検知器の検出温度が前記設定温度範囲の上限値を超えた時間を前記第２のタイマがカウント終了したら前記ヒータの出力を停止する構成としたことにより、まず、大きなヒータ出力で沸き上げを行い、前記湯温検知器の検出温度が前記設定温度範囲の上限値を超えた時間を第１のタイマが判定したら、ヒータ出力を低減して沸き上げを継続し、前記湯温検知器の検出温度が前記設定温度範囲の上限値を超えた時間を第２のタイマが判定したら、ヒータの通電を停止するもので、ヒータの出力が大きい時よりもヒータの出力が小さい時のほうが、前記湯温検知器の検出温度が前記設定温度範囲の上限値を超えるときの貯湯槽下部の水温は高い温度となることで、貯湯槽下部までより高温の湯が確保できる。
【００１２】
【実施例】
以下、本発明の実施例について図面を参照しながら説明する。なお、従来例および各実施例において、同じ構成、同じ動作をするものについては同一符号を付し、一部説明を省略する。
【００１３】
（実施例１）
図１は、本発明の実施例１における貯湯式電気温水器の構成図、図２は本実施例の動作説明図である。
【００１４】
図１、図２において、８はヒータ２の上部に位置せしめた湯温検知器であり、貯湯槽１の外部缶壁に設置する。９はポンプ４の入口の温度を検知するポンプ入口温度検知手段、１０は貯湯槽１の上部に設けられた注水口、１１は注水口に設けられた拡散手段であり、注入水が貯湯槽内壁に略沿うように拡散する構成としている。１２は制御装置で、循環ポンプ４の流量を制御するポンプ制御器１３とヒータ２の出力を制御するヒータ制御器１４で構成され、ポンプ制御器１３は予め設定された第１の設定温度範囲１５と湯温検知器８の検知温度を第１の設定温度範囲１５と比較する第１の比較部１６を有する、ヒータ制御器１４は第１の設定温度範囲１５よりも広い第２の設定温度範囲１７と湯温検知器８の検知温度を第２の設定温度範囲１７と比較する第２の比較部１８を有する。
【００１５】
以上のように構成された貯湯式電気温水器について、以下その動作、作用を図２も含めて説明する。まず、沸き上げ開始時は、ヒータ２が通電され、貯湯槽１の上部領域の水がヒータ２により急速加熱されて湯になり、制御装置１２の第１の比較部１６において湯温検知器８の検知温度が第１の設定温度範囲１５の上限値Ｔ１（例えば９０℃）を超えたことを判定すると循環ポンプ４が駆動され、貯湯槽１の下部冷水が貯湯槽１の上部高温湯に循環され貯湯槽１の上部領域の湯温が低下し、つぎに、第１の比較部１６において湯温検知器８の検知温度が第１の設定温度範囲１５の下限値Ｔ２（例えば８８℃）を下回ったことを判定すると循環ポンプ４を停止させる。このような循環ポンプ４の駆動及び停止の繰り返しにより、貯湯槽１内全体の湯を沸き上げる。貯湯槽１下部水温が高くなってくると循環ポンプ４を駆動して貯湯槽１下部の高温湯をヒータ上部に循環注入してもヒータ２上部の湯温は上昇してくる。湯温検知器８の検知温度が第１の設定温度範囲１５よりも広い第２の設定範囲１７の上限値Ｔ３（例えば９１℃）を超えたことを第２の判定部が判定するとヒータ２の通電と循環ポンプ４の駆動を停止する。また、貯湯槽１から出湯したり、長期間使用せずに貯湯槽１内の湯温が低下したりして、湯温検知器８の検知温度が第１の設定温度範囲１５よりも広い第２の設定範囲１７の下限値Ｔ４（例えば６５℃）を下回ったことを第２の判定部が判定するとヒータ２の通電を開始する。
【００１６】
以上のように、本実施例においては、貯湯槽１と、前記貯湯槽１の上部に位置せしめたヒータ２と、前記ヒータ１上部に位置せしめた湯温検知器８と、前記貯湯槽１の下部の水または湯を前記貯湯槽１上部に搬送する循環ポンプ４と、前記湯温検知器８の検知温度に基づき循環ポンプ４とヒータ２を制御する制御器１２を備え、前記制御器１２は、前記湯温検知器８の検出温度が予め定めた第１の設定温度範囲１５内になるよう前記循環ポンプ４の流量を制御するポンプ制御器１３と、前記湯温検出器８の検出温度が前記第１の設定温度範囲１５より広い第２の設定温度範囲１７内になるよう前記ヒータ２の出力を制御するヒータ制御器１４を備えたことにより、１個の湯温検知器８で循環ポンプ４の制御とヒータ２の制御とを行うことができ、部品点数の削減がはかれる。また、ヒータ２上部に位置せしめた湯温検知器８がヒータ２で直接加熱されている湯温を検知してヒータ２の出力制御を行うため、湯温の異常上昇を防止でき、即ち、ヒータの異常温度上昇が防止できることにより、ヒータ２の耐久性向上が図れる。また、湯温検知器８の検出温度が予め定めた第１の設定温度範囲１５内になるよう循環ポンプ４の流量を制御することで、貯湯槽１上部から高温湯を押し下げていくこととなり、沸き上げ途中から沸き上げ完了にいたるまで貯湯槽１上部から所望の高温湯を貯えていくことができる。
【００１７】
また、ポンプ制御器１３を湯温検知器８の検出温度が第１の設定温度範囲１５の上限値を超えたときにポンプ４を駆動させ、湯温検知器８の検出温度が第１の設定温度範囲１５の下限値を下回ったときに循環ポンプ４を停止させる第１の比較部１６を有したことにより、貯湯槽１上部に設けたヒータ２上部の湯温を予め定めた第１の設定温度範囲１５内（例えば、８８℃〜９０℃）に制御することで、ヒータ上部の湯温を安定したほぼ一定温度に確保して貯湯槽１上部から高温湯を押し下げていくこととなり、沸き上げ途中から沸き上げ完了にいたるまで貯湯槽１上部から所望の高温湯を貯えていくことができる。
【００１８】
また、ヒータ制御器１４を湯温検知器８の検出温度が第２の設定温度範囲の上限値を超
えたときにヒータ２の出力を停止し、湯温検知器８の検出温度が第２の設定温度範囲の下限値を下回ったときにヒータ２の出力を出す第２の比較部１８を有したことにより、まず、循環ポンプ４の流量を制御する第１の設定温度範囲１５の上限値よりも温度の高い第２の設定温度範囲１７の上限値を超えたときにヒータ２の出力を停止することで、すなわち、貯湯槽１下部水温が高くなってくると循環ポンプ４を駆動して貯湯槽１下部の高温湯をヒータ２上部に循環注入してもヒータ２上部の湯温は上昇ししてくるものであり、貯湯槽１下部まで所定の高温湯が確保できるものである。また、例えば、循環ポンプ４の異常で貯湯槽１下部の水がヒータ２上部に循環注入できなくなった場合でもヒータ２上部に位置せしめた湯温検知器８がヒータ２で直接加熱されている湯温を検知してヒータ２の停止を行うため、湯温の異常上昇を防止できる。
【００１９】
また、湯温検知器８の検出温度が循環ポンプ４の流量を制御する第１の設定温度範囲１５の下限値よりも温度の低い第２の設定温度範囲１７の下限値を下回ったすなわち必要湯温以下に温度が低下したときにヒータ２の出力を出すことで、貯湯槽１内の湯の確保を行えるものである。
【００２０】
（実施例２）
図３は本発明の実施例２の貯湯式電気温水器の構成図、図４は本実施例の動作説明図である。図３において、１９はタイマで湯温検知器８の検出温度が第１の設定温度範囲１５の上限値を超えた時間をカウントする。２０はカウント判定部でタイマ１９が予め定めた設定時間カウント終了したらヒータ２の出力を制御する。実施例１と異なるところはヒータ制御器１７にタイマ１９とカウント判定部２０を設けた点である。
【００２１】
以上のように構成された貯湯式電気温水器について、以下その動作、作用を図４も含めて説明する。まず、沸き上げ開始時は、ヒータ２が通電され、貯湯槽１の上部領域の水がヒータ２により急速加熱されて湯になり、制御装置１２の第１の比較部１６において湯温検知器８の検知温度が第１の設定温度範囲１５の上限値Ｔ１（例えば９０℃）を超えたことを判定すると循環ポンプ４が駆動され、貯湯槽１の下部冷水が貯湯槽１の上部高温湯に循環され貯湯槽１の上部領域の湯温が低下し、つぎに、第１の比較部１６において湯温検知器８の検知温度が第１の設定温度範囲１５の下限値Ｔ２（例えば８８℃）を下回ったことを判定すると循環ポンプ４を停止させる。このような循環ポンプ４の駆動及び停止の繰り返しにより、貯湯槽１内全体の湯を沸き上げる。
【００２２】
貯湯槽１下部水温が高くなってくると循環ポンプ４を駆動して貯湯槽１下部の高温湯をヒータ２上部に循環注入してもヒータ２上部の湯温は上昇してくる。タイマ１９は湯温検知器８の検出温度が第１の設定温度範囲１５の上限値Ｔ１（例えば９０℃）を超えた時点で時間のカウントを開始して、タイマ１９が予め定めた設定時間（通常、貯湯槽１の水温が低いときに循環ポンプ４の駆動から停止までに要する時間よりも長く設定する）をカウント終了したことをカウント判定部２０が判定したらヒータ２の出力を低減するか、または、停止させる。一方、タイマ１９が予め定めた設定時間のカウントを終了するまでに、湯温検知器８の検出温度が第１の設定温度範囲１５の上限値を下回ったら、タイマ１９のカウントはクリアされる。上記のヒータ２の出力を低減した場合は、加熱量が減少するため、ヒータ２上部の温度は低下して、再度循環ポンプ４の駆動及び停止の繰り返しにより貯湯槽１下部水温が更に高い温度になるまで沸き上げることができる。また、湯温検知器８の検出温度が第１の設定温度範囲１５の上限値を予め定めた所定時間を超えた時点でヒータ２を停止することで、湯温検知器８のみの温度検知器で貯湯槽１の下部まで所定の高温湯が確保されたことを判定して沸き上げ完了の運転制御ができる。
【００２３】
以上のように、本実施例においては、貯湯槽１と、前記貯湯槽１の上部に位置せしめたヒータ２と、前記ヒータ２上部に位置せしめた湯温検知器８と、前記貯湯槽１の下部の水
または湯を前記貯湯槽１上部に搬送する循環ポンプ４と、前記湯温検知器８の検知温度に基づき循環ポンプ４とヒータ２を制御する制御器１２を備え、前記制御器１２は、前記湯温検知器８の検出温度が予め定めた設定温度範囲１３内になるよう前記循環ポンプ４の流量を制御するポンプ制御器１３と、前記湯温検知器８の検出温度が前記設定温度範囲１３の上限値を超えた時間をカウントするタイマ１９と、前記タイマ１９のカウントにより前記ヒータ２の出力を制御するヒータ制御器１４を備えた構成としたことにより、貯湯槽１下部まで所定の高温湯が確保され循環ポンプ４を駆動して貯湯槽１下部の高温湯をヒータ２上部に循環注入してもヒータ２上部の湯温は低下せずに上昇していくことを前記湯温検知器８で検知して、前記設定温度範囲の上限値を所定時間超えた時点でヒータ２の出力を低減するか、または、停止させるもので、貯湯槽１下部まで所定の高温湯が確保できるものである。
【００２４】
また、ポンプ制御器１３を湯温検知器８の検出温度が設定温度範囲１５の上限値を超えたときにポンプ４を駆動させ、湯温検知器８の検出温度が設定温度範囲１５の下限値を下回ったときに循環ポンプ４を停止させる第１の比較部１６を有したことにより、貯湯槽１上部に設けたヒータ２上部の湯温を予め定めた設定温度範囲内１５（例えば、８８℃〜９０℃）に制御することで、ヒータ２上部の湯温を安定したほぼ一定温度に確保して貯湯槽１上部から高温湯を押し下げていくこととなり、沸き上げ途中から沸き上げ完了にいたるまで貯湯槽１上部から所望の高温湯を貯えていくことができる。
【００２５】
また、ヒータ制御器１７を湯温検知器８の検出温度が設定温度範囲１５の上限値を超えた時間が前記タイマ１９の予め設定された時間をカウント終了したときにヒータの出力を停止するカウント判定部２０を有したことにより、貯湯槽１下部まで所定の高温湯が確保され循環ポンプ４を駆動して貯湯槽１下部の高温湯をヒータ２上部に循環注入してもヒータ２上部の湯温は低下せずに上昇していくことを前記湯温検知器８で検知して、前記設定温度範囲１５の上限値を所定時間超えたことを前記カウント判定部１９で判定した時点でヒータ２の出力を停止させるもので、貯湯槽１下部まで所定の高温湯が確保できるものである。また、例えば、循環ポンプ４の異常で貯湯槽１下部の水がヒータ２上部に循環注入できなくなった場合でもヒータ２上部に位置せしめた湯温検知器８がヒータ２で直接加熱されている湯温を検知して前記設定温度範囲１５の上限値を所定時間超えた時点でヒータ２の停止を行うために、湯温の異常上昇を防止できる。
【００２６】
（実施例３）
図５は本発明の実施例３の貯湯式電気温水器の構成図、図６は本実施例の動作説明図である。図５において、２１は第１のタイマ、２２は第２のタイマ、２３は第１のカウント判定部、２４は第２のカウント判定部であり、実施例２と異なるところはヒータ制御器１２に第１のタイマ２１と第２のタイマ２２と第１のカウント判定部２３と第２のカウント判定部２４を有した点である。
【００２７】
以上のように構成された貯湯式電気温水器について、以下その動作、作用を図６も含めて説明する。まず、貯湯槽１下部水温が高くなってくると循環ポンプ４を駆動して貯湯槽１下部の高温湯をヒータ２上部に循環注入してもヒータ２上部の湯温は上昇してくる。第１のタイマ２１は湯温検知器８の検出温度が第１の設定温度範囲１５の上限値Ｔ１（例えば９０℃）を超えた時点で時間のカウントを開始して、第１のタイマ２１が予め定めた設定時間（通常、貯湯槽１の水温が低いときに循環ポンプ４の駆動から停止までに要する時間よりも長く設定する）をカウント終了したことを第１のカウント判定部２３が判定したらヒータ２の出力を例えば半分の容量に低減する。一方、第１のタイマ２１が予め定めた設定時間のカウントを終了するまでに、湯温検知器８の検出温度が第１の設定温度範囲１５の上限値を下回ったら、第１のタイマ２１のカウントはクリアされる。ヒータ２の出力を低減すると、加熱量が減少するため、ヒータ２上部の温度は低下して、湯温検知器８の検出温度が第１の設定温度範囲１５の下限値Ｔ２（例えば８８℃）を下回り、循環ポンプ４を停止し、再度循環ポンプ４の駆動及び停止の繰り返しにより貯湯槽１下部水温が更に高い温度になるまで沸き上げられる。第１のタイマ２１が予め定めた設定時間カウント終了し、第１のカウント判定部２３がカウント終了を判定してヒータ２の出力を低減した後に再度湯温検知器８の検出温度が第１の設定温度範囲１５の上限値Ｔ１（例えば９０℃）を超えたら、今度は、第２のタイマ２２がカウントを開始して、第２のタイマ２２が予め定めた設定時間（第１のタイマ２１の設定時間と同じかそれ以上の時間に設定する）のカウントを終了したことを第２のカウント判定部２４が判定したらヒータ２の出力を停止する。
【００２８】
以上のように、本実施例においては、ヒータ制御器１４を前記湯温検知器８の検出温度が前記設定温度範囲１５の上限値を超えた時間をカウントする第１のタイマ２１と第２のタイマ２２を有し、前記第１のタイマ２２がカウント終了したら前記ヒータ２の出力を低減し、前記ヒータ２の出力を低減後に前記湯温検知器８の検出温度が前記設定温度範囲１５の上限値を超えた時間を前記第２のタイマ２３がカウント終了したら前記ヒータ２の出力を停止する構成としたことにより、まず、大きなヒータ出力で沸き上げを行い、前記湯温検知器８の検出温度が前記設定温度範囲１５の上限値を超えた時間を第１のタイマ２１が判定したら、ヒータ２の出力を低減して沸き上げを継続し、前記湯温検知器８の検出温度が前記設定温度範囲１５の上限値を超えた時間を第２のタイマ２３が判定したら、ヒータ２の通電を停止するもので、ヒータ２の出力が大きい時よりもヒータ２の出力が小さい時のほうが、前記湯温検知器８の検出温度が前記設定温度範囲１５の上限値を超えるときの貯湯槽１下部の水温は高い温度となることで、貯湯槽１下部までより高温の湯が確保できる。
【００２９】
【発明の効果】
以上のように、請求項１、２、３、４、５、６、７に記載の発明によれば部品点数の削減と、湯温の異常上昇を防止し、ヒータの耐久性向上が図れ、かつ、貯湯槽上部から所望の高温湯を貯えていくことができる。
【図面の簡単な説明】
【図１】  本発明の実施例１における貯湯式電気温水器の構成図
【図２】  本発明の実施例１における動作を説明する動作説明図
【図３】  本発明の実施例２における貯湯式電気温水器の構成図
【図４】  本発明の実施例２における動作を説明する動作説明図
【図５】  本発明の実施例３における動作を説明する動作説明図
【図６】  本発明の実施例３における貯湯式電気温水器の構成図
【図７】  従来の貯湯式電気温水器の構成図
【符号の説明】
１  貯湯槽
２  ヒータ
４  循環ポンプ
８  湯温検知器
１２  制御装置
１３  ポンプ制御器
１４  ヒータ制御器
１５  第１の設定温度範囲
１６  第１の比較部
１７  第２の設定温度範囲
１８  第２の比較部
１９  タイマ
２０  カウント判定部
２１  第１のタイマ
２２  第２のタイマ
２３  第１のカウント判定部
２４  第２のカウント判定部
【図１】
0004161516.tif 000002
【図２】
0004161516.tif 000003
【図３】
0004161516.tif 000004
【図４】
0004161516.tif 000005
【図５】
0004161516.tif 000006
【図６】
0004161516.tif 000007
【図７】
0004161516.tif 000008